(57)【特許請求の範囲】
【請求項１】
メモリーカード等のカードが挿入されるカード挿入部を有するモールドケースと、
前記カード挿入部の上面部を覆うシールドカバーと、
前記モールドケースに固定される固定片部に一端が支持され、他端側が前記固定片部より前記カード挿入部底面に沿って延長された弾性バネ片部を一体に有し、前記カードが前記カード挿入部内に挿入された際に、前記カードの周縁と接触して前記弾性バネ片部が前記固定片部を支点として押し込み方向に動作されるようにしたコンタクトとを備えてなるカードコネクタにおいて、
前記モールドケースは、前記弾性バネ片部と互いに対向する配置にバネ片規制用壁部を備え、前記弾性バネ片部は、前記固定片部より一定の距離を隔てた位置に変形規制部が形成され、前記バネ片規制用壁部には、前記変形規制部が前記押し込み方向に摺動可能で、且つ前記弾性バネ片部の前記シールドカバー側への変形が規制されるように当接される受止め部を備え、
前記変形規制部は、前記弾性バネ片部の片面より突出した変形規制凸部をもって構成され、前記受止め部は、前記規制用壁部の弾性バネ片部側面に突設され、前記変形規制凸部は、切り起こし加工により前記受止め部側に平面部が形成され、該平面部が前記受止め部と互いに摺動可能に当接するようにしたことを特徴としてなるカードコネクタ。
【請求項２】
前記モールドケースには、前記弾性バネ片部の押し込み方向奥側に配置された当て止め部を備えてなる請求項１に記載のカードコネクタ。
【発明の詳細な説明】
【技術分野】
【０００１】
本発明は、ＩＣカード、ＳＤカード、メモリーカード等に用いるカードコネクタであって、落下等の衝撃に強いカードコネクタに関する。
【背景技術】
【０００２】
従来、この種のカードコネクタにおいては、カードの挿抜を検知するために用いられるスイッチコンタクトを備え、メモリーカード等のカードが挿入された際にカードの縁部が一方のコンタクトに接触してこのコンタクトを押し込み、対となる他方のコンタクトと接触又は離脱することによりスイッチングがなされ、カードの挿入状態を検知する構造のものが開発されている（例えば特許文献1）。
【０００３】
この従来のスイッチコンタクトを構成するコンタクトは、コネクタハウジングに固定された固定片部に長板状の弾性バネ片部の一端を支持させ、弾性バネ片部を固定片部に片持ち支持させた構造となっており、弾性バネ片部に一体に支持された接触部がカードと接触した際に、この弾性ばね片部が押し込まれて固定片部を支点に動作するようになっている。
【先行技術文献】
【特許文献】
【０００４】
【特許文献１】特開２００９−１６０４２号公報
【発明の概要】
【発明が解決しようとする課題】
【０００５】
上述した従来のカードコネクタには、落下衝撃等により外力が加わると固定片部を支点として弾性バネ片部の先端部分をカード挿入部の上面部を覆うシールドカバー側に持ち上げる方向、即ち本来変形を意図しない方向に撓みを生ずる場合があり、片持ち支持された弾性バネ片部の自由端に生ずる最大撓みは固定端から自由端までの距離が長いほど大きくなるので、弾性バネ片部の長さが長いほど落下衝撃などにより、シールドカバーと接触する懸念が大きくなるという問題がある一方で、弾性バネ片部の長さが十分でないと十分なバネ性を確保できないという問題があった。
【０００６】
本発明は、このような従来の問題に鑑み、バネ性を確保しつつ落下衝撃等によるコンタクトの変形を防止することができるカードコネクタの提供を目的としてなされたものである。
【課題を解決するための手段】
【０００７】  上述の如き従来の問題を解決し、所期の目的を達成するための請求項１に記載の発明の特徴は、メモリーカード等のカードが挿入されるカード挿入部を有するモールドケースと、前記カード挿入部の上面部を覆うシールドカバーと、前記モールドケースに固定される固定片部に一端が支持され、他端側が前記固定片部より前記カード挿入部底面に沿って延長された弾性バネ片部を一体に有し、前記カードが前記カード挿入部内に挿入された際に、前記カードの周縁と接触して前記弾性バネ片部が前記固定片部を支点として押し込み方向に動作されるようにしたコンタクトとを備えてなるカードコネクタにおいて、前記モールドケースは、前記弾性バネ片部と互いに対向する配置にバネ片規制用壁部を備え、前記弾性バネ片部は、前記固定片部より一定の距離を隔てた位置に変形規制部が形成され、前記バネ片規制用壁部には、前記変形規制部が前記押し込み方向に摺動可能で、且つ前記弾性バネ片部の前記シールドカバー側への変形が規制されるように当接される受止め部を備え、前記変形規制部は、前記弾性バネ片部の片面より突出した変形規制凸部をもって構成され、前記受止め部は、前記規制用壁部の弾性バネ片部側面に突設され、前記変形規制凸部は、切り起こし加工により前記受止め部側に平面部が形成され、該平面部が前記受止め部と互いに摺動可能に当接するようにしたことにある。【０００９】  請求項２に記載の発明は、請求項１の構成に加え、前記モールドケースには、前記弾性バネ片部の押し込み方向奥側に配置された当て止め部を備えたことにある。
【発明の効果】
【００１０】
本発明に係るカードコネクタは、上述したように、モールドケースは、弾性バネ片部と互いに対向する配置にバネ片規制用壁部を備え、弾性バネ片部は、固定片部より一定の距離を隔てた位置に変形規制部が形成され、バネ片規制用壁部には、変形規制部が押し込み方向に摺動可能で、且つ弾性バネ片部のシールドカバー側への変形が規制されるように当接される受止め部を備えたことにより、バネ性を損なわずに、弾性バネ片部が本来意図しない方向への撓み等の変形を規制し、シールドカバーとの接触を防止することができる。また、リフロー行程等による熱の影響を受けても固定力の低下を抑え、好適にコンタクトの保持をすることができる。
【００１１】
また、本発明において、変形規制部は、弾性バネ片部の片面より突出した変形規制凸部をもって構成されたことにより、摺動量を確保しつつ好適に受止め部に弾性バネ片部を当接させることができるようになっている。
【００１２】
また更に、受止め部は、規制用壁部の弾性バネ片部側面に突設され、変形規制凸部は、切り起こし加工により受止め部側に平面部が形成され、平面部が受止め部と互いに摺動可能に当接するようにしたことにより的確に当接することができる。
【００１３】
更に本発明において、モールドケースには、前記弾性バネ片部の押し込み方向奥側に配置された当て止め部を備えたことにより、常に変形規制部と受止め部との当接状態を維持することができる。
【図面の簡単な説明】
【００１４】
【図１】本発明に係るカードコネクタの一例を示す斜視図である。
【図２】同上のカードコネクタのシールドカバーを取り除いたモールドケース部分の平面図である。
【図３】図２中のコンタクトの保持状態を示す部分拡大斜視図である。
【図４】同上のコンタクトを示す平面図である。
【図５】同上の正面図である。
【図６】図３中のａ−ａ線部分拡大断面図である。
【図７】同２中のｂ−ｂ線部分拡大断面図である。
【図８】同、コンタクトの作動状態を示すｂ−ｂ線部分拡大断面図である。
【発明を実施するための形態】
【００１５】
次に、本発明の実施の態様を、図面に示した実施例に基づいて説明する。
図１、図２は、本発明に係るカードコネクタの一例を示し、図において符合Ａはハウジング、Ｂはメモリーカードである。
【００１６】
ハウジングＡは、絶縁性合成樹脂材によってモールド成形されたモールドケース１と、その上面及び側面を覆うように組みつけられたシールドカバー２とから構成されており、モールドケース１の上面にカード挿入部３が、モールドケース１の上面を凹ませた形状に形成され、その上面部がシールドカバー２によって覆われて閉鎖されることによって、前面にカード挿入口が開口されたハウジングＡが構成されるようになっている。
【００１７】
このハウジングＡには、カード挿入部３の底面に、カードＢの片側面に備えた信号伝達用端子に接触する接点部を一体に有する接触バネ４，４...が、カードの挿抜方向に向けて接点部を浮き上がらせた状態で備えられ、この接触バネ４，４...はＰＣＢ等の基板に接続されるようになっている。
【００１８】
また、ハウジングＡには、カードの挿入によって押し込み方向に動作されるとともに、カード抜き取りの際にカードを押し出し方向に移動させるためのスライダー機構５を備えている。
【００１９】
一方、このハウジングＡには、図２、図３に示すように、カード挿入部３のカード挿入方向奥側に一対のコンタクト６，７からなるスイッチコンタクトが備えられている。
【００２０】
コンタクト６は、コンタクト７と接触する接触部８を一体に支持する弾性バネ片部９がモールドケース１の奥側壁１ａよりコネクタ幅方向に向けて接触部８を浮き上がらせた状態でモールドケース１に保持されており、この弾性バネ片部９に支持されたコンタクト接触部８ｃがカード未挿入時には、自身のバネ性によりコンタクト７と接触し、カードＢが挿入されると、カードＢに押されてコンタクト６のコンタクト接触部８ｃがコンタクト７から離れ、それによりカードＢの挿入状態を検知するようになっている。
また、ハウジングＡには、弾性バネ片部９のシールドカバー側への撓み等の変形を規制するためのバネ片規制用壁部１０が備えられている。
【００２１】
コンタクト６は、図４、図５に示すように、固定片部１１と、固定片部１１の下端側に配置された基板接続端子部１２と、固定片部１１に支持された弾性バネ片部９と、接触部８とを一体に有し、弾性を有する導電性金属材をもって打ち抜きプレス加工により形成されている。
【００２２】
固定片部１１は、両側縁にモールドケース１に形成された圧入溝１３に圧入するための係止用突片１１ａ，１１ａが一体に形成され、図６に示すように、圧入されることにより係止用突片１１ａ，１１ａが圧入用溝１３の内縁に係止され、モールドケース１に固定される。
【００２３】
基板接続端子部１２は、固定片部１１の下端より水平方向に突出して形成され、モールドケース１の底面部に開口した貫通孔１４を通してモールドケース１の下面側に配置され、ＰＣＢ等の基板に半田付けできるようになっている。
【００２４】
尚、このようにモールドケース１に固定される固定片部１１と基板に半田付けされる基板接続端子部１２とを連続した配置にすることによって、コンタクトの保持力を向上させるようになっている。
弾性バネ片部９は、固定片部１１の上端に支持されたバネ片基部１５と、第１折り曲げ部１６ａと、第２折り曲げ部１６ｂとをもって構成されている。
【００２５】
バネ片基部１５は、コンタクトの短手方向の幅が狭く形成された支持基部１５ａと、コンタクト短手方向の幅が支持基部１５ａよりも広く形成された動作部１５ｂとから構成され、支持基部１５ａが固定片部１１の上端に支持され、固定片部１１を支点として支持基部１５ａ及び動作部１５ｂが一体的に動作するようになっている。
【００２６】
また、バネ片基部１５（動作部１５ｂ）の片面には、変形規制用凸部１７が突設され、弾性バネ片部９の固定片部１１より一定の距離を隔てた位置に、変形規制用凸部１７により変形規制部が形成される。
【００２７】
変形規制用凸部１７は、図７に示すように、切り起こし加工により弾性バネ片部の片面（カード側面）より突出して形成され、弾性バネ片部の短手方向（長板の板幅方向）上側に平面部１７ａが形成されるとともに、下側縁に丸みを帯びた部分１７ｂが形成されている。
第１折り曲げ部１６ａは、矩形状に形成され、一端が折り目を介してバネ片基部１５の端部に支持されている。
【００２８】
一方、第２折り曲げ部１６ｂは、矩形状に形成され、一端が第１折り曲げ部１６ａのバネ片基部１５とは反対側の端部に折り目を介して支持され、他端に接触部８が支持されている。
尚、第１折り曲げ部１６ａのコンタクト短手方向幅は、第２折り曲げ部１６ｂよりも広く形成されている。
【００２９】
また、モールドケース１の奥側壁１ａに対し、バネ片基部１５は、平行に配置され、第１折り曲げ部１６ａ及び第２折り曲げ部１６ｂは、奥側壁１ａよりコネクタ幅方向に接触部側が浮き上がった状態でカード挿入部底面に沿って延長されている。
【００３０】
接触部８は、第２折り曲げ部１６ｂの先端に一体に支持され、接触基部８ａと、カード接触部８ｂと、接触基部８ａの下縁より下向き突出した二股状に形成されたコンタクト接触部８ｃとをもって構成されている。
カード接触部８ｂは、接触基部８ａの表面より膨出した形状に形成され、この部分にカード挿入部３内に挿入されたカードＢが接触するようになっている。
【００３１】
コンタクト７は、モールドケース１に支持される支持片部１８と、基板接触端子部１９と、支持片部１８に支持された接触片部２０とを一体に有し、導電性板材を打ち抜きプレス加工することにより形成されている。
【００３２】
接触片部２０は、Ｌ字状に形成され、モールドケース１の底面に開口した貫通孔２１の内周縁に嵌め込まれている。そして、この接触片部２０に貫通孔２１内に挿入されたコンタクト６のコンタクト接触部８ｃが自身のバネ性により押し当てられて接触するようになっている。
【００３３】
モールドケース１には、カード挿入方向奥側にバネ片規制用壁部１０を有し、バネ片規制用壁部１０は、コンタクト６の弾性バネ片部９と対向する配置にモールドケース１の底面より立ち上げて形成されている。
【００３４】
バネ片規制用壁部１０には、そのコンタクト側面に変形規制凸部１７が押し込み方向に摺動可能な状態で当接する受止め部２３が一体に形成されている。尚、バネ片規制用壁部１０の受止め部２３の下側には、受止め部２３の下縁に沿って逃げ用溝２４が形成されている。
【００３５】
受止め部２３は、バネ片規制用壁部１０の上端部にコンタクト側に突出した形状に形成されている。また、受止め部２３の下縁２３ａは平らに形成され、変形規制凸部１７の平面部１７ａが弾性バネ片部９の押し込み方向、即ち動作方向に摺動可能な状態で当接するようになっている。これにより、弾性バネ片部９は、シールドカバー側への変形が規制されるようになっている。
また、モールドケース１の奥側壁１ａは、図６に示すように、カード挿入時に弾性バネ片部の一部１５が当て止めされる当て止め部を構成している。
【００３６】
当て止め部を構成するモールドケース１の奥側壁１ａと、受止め部２３のコンタクト側端面との間の距離ｘは、弾性バネ片部９の板厚と変形規制凸部１７の突出高さを足した距離より短く形成され、摺動しても常に変形規制凸部１７と受止め部２３とが当接した状態を維持できるようになっている。
【００３７】
このモールドケース１に、コンタクト６を取り付けるには、固定片部１１をモールドケース１に形成された圧入溝１２の位置に合わせ、モールドケース１の底面と弾性バネ片部９とが平行な状態を維持しつつ固定片部１１を圧入溝１２に圧入することにより行う。
【００３８】
その際、弾性バネ片部９の変形規制部を有する部分は、変形規制凸部１７の丸みを帯びた部分１７ｂにより受止め部２３と当て止め部を構成するモールドケース１の側壁１ａとの間の隙間ｘを押し広げながらバネ片規制用壁部１０と側壁１ａとの間に挿入され、挿入後は、弾性復帰して受止め部のコンタクト側端面との間の距離ｘは、弾性バネ片部９の板厚と変形規制凸部１７の突出高さを足した距離より短い状態となる。
【００３９】
このように構成されたカードコネクタにおいて、カードが挿入されていない状態では、コンタクト６の接触部８がカード挿入部３内に露出するとともに自身のバネ性により押圧されてコンタクト接触部８ｃがコンタクト７の接触片部２０に接触した状態にある。
【００４０】
また、コンタクト６自身のバネ性により押圧されて弾性バネ片部９の表面が受止め部２３の端面に当て止めされた状態となり、変形規制凸部１７は根本まで受止め部２３の下縁に当接した状態にある。
【００４１】
カードＢがカード挿入部３内に挿入された際には、コンタクト６の接触部８ｂにカード前縁が接触し、カードに押されて弾性バネ片部９が固定片部１１を支点として動作し、コンタクト７から離れるようになっている。その際、変形規制凸部１７が受止め部２３に対し押し込め方向で摺動可能であるので、バネ片基部１５もバネの一部として動作し、バネ片基部１５、第１折り曲げ部１６ａ及び第２折り曲げ部１６ｂがバネとして一体的に動作するのでバネ全体として十分な長さが確保され、好適なバネ圧でカードと接触するようになっている。
【００４２】
一方、固定片部１１を支点として弾性バネ片部９をシールドカバー側に持ち上げる方向に働く力に対しては、常に変形規制凸部１７の平面部１７ａが受止め部２３の下縁に当接しているので、弾性バネ片部９には、受止め部２３より変形規制部１７を介して落下衝撃等による応力とは反対向きの反力を受けることとなり、それにより弾性バネ片部９のシールドカバー側への撓み等の変形を規制するようになっている。
【００４３】
尚、上述の実施例では、弾性バネ片部９の表面に変形規制凸部を設けた例について説明したが、変形規制部が受止め部に対し、押し込み方向に摺動可能で、且つ弾性バネ片部のシールドカバー側への変形が規制されるように当接されるものであればよく、例えば、弾性バネ片部の側縁を変形規制部としてもよい。
【００４４】
また、コンタクトの形状は、上述の実施例に限定されず、モールドケースに固定される固定片部に片持ち支持される弾性バネ片部を有する構造であればよく、例えば、弾性バネ片部の固定片部とは反対側端部に折り返し部を介して支持され、接触部が固定片部側に配置されたものであってもよい。
【符号の説明】
【００４５】
Ａ    ハウジング
Ｂ    カード
１    モールドケース
２    シールドカバー
３    カード挿入部
４    接触バネ
５    スライダー機構
６    コンタクト
７    コンタクト
８    接触部
９    弾性バネ片部
１０    バネ片規制用壁部
１１    固定片部
１１ａ  係止用突片
１２    基板接触端子部
１３    圧入溝
１４    貫通孔
１５    バネ片基部
１６ａ  第１折り曲げ部
１６ｂ  第２折り曲げ部
１７    変形規制凸部
１８    固定片部
１９    基板接続端子部
２０    接触片部
２１    コンタクト保持孔
２３    受止め部
２４    逃げ用溝
【図１】
0005126719.tif 000002
【図２】
0005126719.tif 000003
【図３】
0005126719.tif 000004
【図４】
0005126719.tif 000005
【図５】
0005126719.tif 000006
【図６】
0005126719.tif 000007
【図７】
0005126719.tif 000008
【図８】
0005126719.tif 000009